(57)【要約】【課題】  ナノ・プラチナ粒子を付着させた衣類用繊維を用いた多機能靴下類につき、該ナノ・プラチナ粒子を着用者の皮膚の内部にまで浸透させること、該ナノ・プラチナ粒子が着用者の踵に特化して作用すること、着用者が滑りにくく、かつ、通気性を向上させること、及び着用者の下半身を温めることができる多機能靴下類を提供する。【解決手段】  多機能靴下類１は、踵部１ａ、足甲部１ｂ、足裏部１ｃ、足首部１ｄ、爪先部１ｅの全部又はいずれかを備え、上記各部の全部またはいずれかがナノ・プラチナ粒子を独立した態様で付着させた衣服用繊維によって形成されている。また、多機能靴下類１は、足裏部１ｃ及び／又は爪先部１ｅにおいて着用者Ａの足が露出する露出部１ｉが設けられている。更に、多機能靴下類１はナノ・プラチナ粒子を独立した態様で付着させた衣類用繊維によって形成された脹脛部１ｆを備えている。【選択図】      図６
0003232102.tif 000002
【実用新案登録請求の範囲】
【請求項１】
ナノ・プラチナ粒子を付着させた衣類用繊維を用いた多機能靴下類であって、該多機能靴下類を着用した際に着用者の踵に面する踵部、及び／又は該多機能靴下類を着用した際に着用者の足の甲に面する足甲部、及び／又は該多機能靴下類を着用した際に着用者の足裏に面する足裏部、及び／又は該多機能靴下類を着用した際に着用者の足首に面する足首部、及び／又は該多機能靴下類を着用した際に着用者の爪先に面する爪先部を備えており、上記各部の全部又はいずれかが該ナノ・プラチナ粒子を独立した態様で付着させた衣類用繊維によって形成されていることを特徴とする多機能靴下類。
【請求項２】
請求項１に記載した多機能靴下類であって、前記踵部を備えており、該踵部のみがナノ・プラチナ粒子を独立した態様で付着させた衣類用繊維によって形成されていることを特徴とする多機能靴下類。
【請求項３】
請求項１又は２に記載した多機能靴下類であって、前記足裏部及び／又は前記爪先部を備えており、該足裏部及び／又は該爪先部において着用者の足が露出する露出部が設けられていることを特徴とする多機能靴下類。
【請求項４】
請求項１から３までの何れかに記載した多機能靴下類であって、前記多機能靴下類を着用した際に着用者の脹脛に面する脹脛部を備えており、該脹脛部がナノ・プラチナ粒子を独立した態様で付着させた衣類用繊維によって形成されていることを特徴とする多機能靴下類。
【考案の詳細な説明】
【技術分野】
【０００１】
本願考案は、靴下類に関し、特にナノ・プラチナ粒子を付着させた繊維で形成した多機能靴下類につき、着用者の踵の肌を正常に保つ、着用者が滑るのを防止する、着用時にその内部が蒸れるのを防止する、着用者の脚を温めるといった多くの機能を備える靴下類に関する。
【０００２】
本願において、靴下類とは、いわゆるソックスの他、足袋、ストッキング、タイツ等も含む人の足に直接着用する衣類を意味する。
【背景技術】
【０００３】
足の皮膚をはじめとする人の皮膚は、水分の喪失による乾燥や新陳代謝が不十分であるといった様々な原因から、その柔軟性が失われてしまうことがある。特に、足裏は皮脂腺がないために乾燥しやすい部位である。また、足裏の中でも、とりわけ踵は人の体重を支えるために元来角質層が厚くなっている部位であるから、他の部位の皮膚と比較して新陳代謝に時間がかかるため、いわゆるガサガサないしゴワゴワした感じになってしまったり、ひび割れてしまったりすることがある。また、踵を含む人の足には各種の細菌がいるところ、そのような細菌が増殖すると、水虫等の病気や悪臭の原因にもなる。そこで、このような問題に対応すべく、踵に保湿用のクリーム剤をはじめとする各種の薬剤を塗布するといったことが行われているが、そのような対応には手間と費用が掛かってしまうといった問題があった。
【０００４】
ここで、人の皮膚に対するナノ・プラチナ粒子の効果が近時注目されている。ナノ・プラチナ粒子とは、ナノサイズ（１０億分の１メートル）の超微粒子に形成したプラチナ（白金）のことである。ナノ・プラチナ粒子には、後述するように、皮膚に対する保湿作用、抗酸化作用、抗菌作用といった各種の効果を発揮することが実証されている。
【０００５】
上記のようなナノ・プラチナ粒子を付着させた綿、アクリル繊維、ポリエステル樹脂、ナイロンといった各種の衣類用繊維も提供されているところ、そのような繊維で形成した靴下類も提案されている。例えば、靴下を構成する繊維の全部ないしその一部を白金粒子が分散した白金ナノコロイドの水溶液に浸した後、これを乾燥させることで、該靴下を構成する繊維の表面に該白金ナノコロイドに係る白金粒子を定着させた靴下類である（例えば、下記の特許文献１を参照。）。
【０００６】
このような靴下類を着用すれば、踵の皮膚について、保湿、酸化の防止、細菌の増殖の抑制といった各種の効果が得られることを期待でき、しかも靴下類を着用するだけでこのような各種の効果を得ることができる。そうすると、上記のような靴下類の着用は、踵に各種の薬剤を塗布するといった従来の対応に比較して簡便であり、手間と費用が掛からず、好適である。しかも、上記のような衣類用繊維に付着させたナノ・プラチナ粒子には永続性があり、例えば、該衣類用繊維で形成した衣類を洗濯する等しても、該ナノ・プラチナ粒子が剥落することはないと考えられている。
【０００７】
上記のような効果を発揮するナノ・プラチナ粒子を付着させた衣類用繊維で形成した靴下類であるが、靴下類の構造に起因する問題がある。すなわち、該靴下類は人が着用することでその効果を発揮するものの、靴下類一般を着用していると、着用者が歩いたり走ったりして移動する際や室内における体操やヨーガ等の靴下類を着用しての運動を行う際に滑ってしまうおそれがあるという問題がある。また、着用者の足が全体的に布地で覆われていると、足が発汗し易く、また通気性の悪さから、該靴下類の内部が蒸れてしまうという問題もある。
【０００８】
そこで、一般的な靴下類についてであるが、足底の前部要所ないしつま先の部分に所要の大きさの貫通孔を設けた靴下類が提案されている（例えば、下記の特許文献２および３を参照。）。このような靴下類を着用すれば、該貫通孔から着用者の足が露出するため、着用者が移動や運動をする際に滑ってしまうおそれを低減することができる。また、着用者の足が該貫通孔から突き出して外気に触れることから、着用者の足における発汗を抑制することができるとともに、通気性も改善させることができるため、該靴下類の内部が蒸れてしまうのを防止することもできる。
【０００９】
更に、こむら返りや脹脛のむくみは、様々な原因によって生じるものであるが、特に下半身の冷えもその要因の一つであると考えられている。従来、一般的な靴下類についてであるが、様々な形態の靴下類が提案されているところ、着用者の脹脛に面する部位を有する靴下類が提案されている（例えば、下記の特許文献３を参照。）。このような形態の靴下類によれば、着用者の下半身を温めることができるため、こむら返りや脹脛のむくみが生じるおそれを低減することができる。
【先行技術文献】
【特許文献】
【００１０】
【特許文献１】実登３１５３８８９号公報
【特許文献２】実開昭６１−８２９０６号公報
【特許文献３】実開平１−８７１０８号公報
【考案の概要】
【考案が解決しようとする課題】
【００１１】
しかしながら、上記の従来技術に係る靴下類に用いられているナノ・プラチナ粒子は、プラチナ・ナノ・コロイドと呼称される水分子と合わさった膠質状のものであった。該プラチナ・ナノ・コロイドは、そのような特性から人の皮膚の表面には作用するものの、皮膚の内部には浸透しないため前記のような効果を十分に発揮することができなかった。しかしながら、近時、液相レーザーアブレーションの原理を活用することにより、膠質状のものではなく、独立した態様のナノ・プラチナ粒子が提供されるようになった。そこで、本願考案の解決しようとする第１の課題は、ナノ・プラチナ粒子を付着させた繊維で形成した多機能靴下類につき、該ナノ・プラチナ粒子を着用者の皮膚の内部にまで浸透させることができる多機能靴下類を提供することにある。
【００１２】
このようなナノ・プラチナ粒子を付着させた衣類用繊維は、これを付着させていない衣類用繊維に比べ、そのような加工を施している分、その製造には当然手間や費用がかかっている。そうすると、ナノ・プラチナ粒子を付着させた衣料品用の繊維によって靴下類全体を形成しようとすると、手間や費用がかかってしまう。しかしながら、前記の通り、人の足において最も乾燥しやすく、かつ、新陳代謝に時間がかかって皮膚に問題が生じ易いのは踵である。そこで、本願考案の解決しようとする第２の課題は、ナノ・プラチナ粒子を付着させた繊維で形成した多機能靴下類につき、該ナノ・プラチナ粒子が着用者の踵に作用するように特化した多機能靴下類を提供することにある。
【００１３】
着用者が該ナノ・プラチナ粒子を付着させた繊維で形成した靴下類を着用することにより、該ナノ・プラチナ粒子が着用者の皮膚の内部へと浸透するところであるが、該靴下類を着用して移動したり運動したりすると着用者が滑ってしまったり、該靴下類を着用し続けるとその内部が蒸れてしまうという問題が生じる。そこで、本願考案の解決しようとする第３の課題は、ナノ・プラチナ粒子を付着させた繊維で形成した多機能靴下類につき、着用者が滑りにくく、かつ、通気性を向上させた多機能靴下類を提供することにある。
【００１４】
着用者の皮膚の内部にナノ・プラチナ粒子を浸透させるべく、着用者が該ナノ・プラチナ粒子を付着させた衣類用繊維で形成した靴下類を着用しているのであれば、あわせて下半身の温めを行うことにより、こむら返りや脹脛のむくみが生じるおそれを低減するのが好適である。そこで、本願考案の解決しようとする第４の課題は、ナノ・プラチナ粒子を付着させた繊維で形成した多機能靴下類につき、着用者の下半身を温めることもできる多機能靴下類を提供することにある。
【課題を解決するための手段】
【００１５】
本願考案は、上記の各課題を解決するために提案されたものであり、以下の構成を有するものである。以下では、本考案の構成を理解するのを補助するため、本願に添付した図面に表示した番号及び符号をあわせて記載する。
【００１６】
請求項１に係る多機能靴下類（１）は、ナノ・プラチナ粒子を付着させた衣類用繊維を用いた多機能靴下類であって、多機能靴下類（１）を着用した際に着用者（Ａ）の踵に面する踵部（１ａ）、及び／又は多機能靴下類（１）を着用した際に着用者（Ａ）の足の甲に面する足甲部（１ｂ）、及び／又は多機能靴下類（１）を着用した際に着用者（Ａ）の足裏に面する足裏部（１ｃ）、及び／又は多機能靴下類（１）を着用した際に着用者（Ａ）の足首に面する足首部（１ｄ）、及び／又は多機能靴下類（１）を着用した際に着用者（Ａ）の爪先に面する爪先部（１ｅ）を備えており、上記各部の全部又はいずれかが該ナノ・プラチナ粒子を独立した態様で付着させた衣類用繊維によって形成されている。
【００１７】
請求項２に係る多機能靴下類（１）は、請求項１に記載した多機能靴下類であって、踵部（１ａ）を備えており、踵部（１ａ）のみがナノ・プラチナ粒子を独立した態様で付着させた衣類用繊維によって形成されている。
【００１８】
請求項３に係る多機能靴下類（１）は、請求項１又は２に記載した多機能靴下類であって、足裏部（１ｃ）及び／又は爪先部（１ｅ）を備えており、足裏部（１ｃ）及び／又は爪先部（１ｅ）において着用者（Ａ）の足が露出する露出部（１ｉ）が設けられている。
【００１９】
請求項４に係る多機能靴下類（１）は、請求項１から３までの何れかに記載した多機能靴下類であって、多機能靴下類（１）を着用した際に着用者（Ａ）の脹脛に面する脹脛部（１ｆ）を備えており、脹脛部（１ｆ）はナノ・プラチナ粒子を独立した態様で付着させた衣類用繊維によって形成されている。
【考案の効果】
【００２０】
本願考案に係る多機能靴下類（１）は、上記の通りの構成であるから、以下のような効果を奏することができる。
【００２１】
即ち、請求項１に係る多機能靴下類は、踵部（１ａ）、足甲部（１ｂ）、足裏部（１ｃ）、足首部（１ｄ）、爪先部（１ｅ）の全部又はいずれかがナノ・プラチナ粒子を独立した態様で付着させた衣服用繊維によって形成されているところ、着用者（Ａ）が多機能靴下類（１）を着用してその足に当接させることにより、該ナノ・プラチナ粒子が足の皮膚の内部へと浸透する。そうすると、多機能靴下類（１）を着用するだけで、足の皮膚について、保湿、酸化の防止、細菌の増殖の抑制といった各種の効果が得られることを期待できる。しかも、衣類用繊維に付着させたナノ・プラチナ粒子には永続性があるから、多機能靴下類（１）を洗濯する等しても、該ナノ・プラチナ粒子が剥落するといったことはないと考えられるため、上記の各効果が低減するようなことはない。
【００２２】
また、着用者（Ａ）の足全体について上記の各効果を得ることを所望する場合は、多機能靴下類（１）を構成する各部の全てについて、ナノ・プラチナ粒子を独立した態様で付着させた衣服用繊維によって形成すればよい。一方、後述するように、着用者（Ａ）の足の一部について上記の各効果を得ることを所望する場合は、多機能靴下類（１）を構成する各部の内の当該箇所に面する部位について、ナノ・プラチナ粒子を独立した態様で付着させた衣服用繊維によって形成すればよい。このように形成すれば、ナノ・プラチナ粒子を付着させた衣料品用の繊維によって靴下類全体を形成する場合と比較して、その製造にかかる費用や手間を低減させることもできる。従って、本願発明に係る多機能靴下類は、ナノ・プラチナ粒子を付着させた繊維で形成した多機能靴下類につき、該ナノ・プラチナ粒子が着用者の皮膚の内部にまで浸透する多機能靴下類を提供するという本願考案が解決しようとする第１の課題を解決することができる。
【００２３】
また、請求項２に係る多機能靴下類は、踵部（１ａ）のみがナノ・プラチナ粒子を独立した態様で付着させた衣類用繊維によって形成されているため、人の足で最も皮膚に問題が生じ易い踵部に特化して、保湿、酸化の防止、細菌の増殖の抑制といった各種の効果を発揮することができる。従って、本願考案に係る多機能靴下類は、ナノ・プラチナ粒子を付着させた繊維で形成した多機能靴下類につき、該ナノ・プラチナ粒子が特に着用者の踵に作用するように特化した多機能靴下類を提供するという本願考案が解決しようとする第２の課題を解決することができる。
【００２４】
そして、請求項３に係る多機能靴下類は、足裏部（１ｃ）及び／又は爪先部（１ｅ）において着用者（Ａ）の足が露出する露出部（１ｆ）が設けられているため、多機能靴下類（１）を着用して移動したり運動したりしても、着用者（Ａ）の足が直に接地することにより、着用者（Ａ）が滑ってしまうおそれを低減することができる。また、多機能靴下類（１）を着用した時に着用者（Ａ）の足が露出することにより、着用者（Ａ）の足における発汗を抑制することができるため、着用時に多機能靴下類（１）の内部が蒸れてしまうのを防止することができる。従って、本願考案に係る多機能靴下類は、ナノ・プラチナ粒子を付着させた繊維で形成した多機能靴下類につき、着用者が滑りにくく、かつ、通気性を向上させた多機能靴下類を提供するという本願考案が解決しようとする第３の課題を解決することができる。
【００２５】
更に、請求項４に係る多機能靴下類は、多機能靴下類（１）を着用した際に着用者（Ａ）の脹脛に面する脹脛部（１ｆ）を備えており、ナノ・プラチナ粒子を独立した態様で付着させた衣類用繊維によって脹脛部（１ｆ）が形成されているところ、脹脛について前記のナノ・プラチナ粒子が足の皮膚の内部へと浸透する各効果を得られる他、着用者の下半身を温めることもできるため、こむら返りや脹脛のむくみが生じるおそれを低減することができる。従って、本願考案に係る多機能靴下類は、ナノ・プラチナ粒子を付着させた繊維で形成した多機能靴下類につき、着用者の下半身を温めることもできる多機能靴下類を提供するという本願考案が解決しようとする第４の課題を解決することができる。
【図面の簡単な説明】
【００２６】
【図１】本願考案の第一実施形態に係る多機能靴下類を示した概略構成図である。
【図２】本願考案の第一実施形態に係る多機能靴下類を使用する状態を示した使用状態説明図である。
【図３】本願考案の第二実施形態に係る多機能靴下類を示した概略構成図である。
【図４】本願考案の第二実施形態に係る多機能靴下類を使用する状態を示した使用状態説明図である。
【図５】本願考案の第三実施形態に係る多機能靴下類を示した概略構成図である。
【図６】本願考案の第三実施形態に係る多機能靴下類を使用する状態を示した使用状態説明図である。
【考案を実施するための形態】
【００２７】
以下に、本願考案の第一実施形態に係る多機能靴下類（１）の構造について添付図面に基づいて説明する。
【００２８】
本願考案の第一実施形態に係る多機能靴下類は、図１に図示するように、ナノ・プラチナ粒子を付着させた衣類用繊維を用いた多機能靴下類であって、多機能靴下類（１）を着用した際に着用者（Ａ）の踵に面する踵部（１ａ）、多機能靴下類（１）を着用した際に着用者（Ａ）の足の甲に面する足甲部（１ｂ）、多機能靴下類（１）を着用した際に着用者（Ａ）の足裏に面する足裏部（１ｃ）、多機能靴下類（１）を着用した際に着用者（Ａ）の足首に面する足首部（１ｄ）、多機能靴下類（１）を着用した際に着用者（Ａ）の爪先に面する爪先部（１ｅ）を備えている。図では、多機能靴下類（１）は、踵部（１ａ）、足甲部（１ｂ）、足裏部（１ｃ）、足首部（１ｄ）、及び爪先部（１ｅ）を全て備えているが、後述するように、所望によりその一部を欠損させてもよい。また、多機能靴下類（１）には、図示するようないわゆるソックスだけでなく、足袋、ストッキング、タイツ等も含まれ、人の足に直接着用する衣類であれば、特に限定されるものではない。
【００２９】
多機能靴下類（１）は、上記各部の全部又はいずれかにつき、ナノ・プラチナ粒子を独立した態様で付着させた衣類用繊維によって形成されている。即ち、着用者（Ａ）の足全体についてナノ・プラチナ粒子が足の皮膚の内部へと浸透することによる各効果を得ることを所望する場合は、多機能靴下類（１）を構成する上記各部の全てについて、ナノ・プラチナ粒子を独立した態様で付着させた衣服用繊維によって形成すればよい。一方、後述するように、着用者（Ａ）の足の一部について上記の各効果を得ることを所望する場合は、多機能靴下類（１）を構成する各部の内の当該箇所に面する部位について、ナノ・プラチナ粒子を独立した態様で付着させた衣服用繊維によって形成すればよい。このような場合、当該部位以外については、ナノ・プラチナ粒子を付着させていない綿、アクリル繊維、ポリエステル樹脂、ナイロンといった各種の衣類用繊維によって形成する。このように形成すれば、ナノ・プラチナ粒子を付着させた衣料品用の繊維によって靴下類全体を形成する場合と比較して、その製造にかかる費用や手間を低減することもできる。
【００３０】
ここで、多機能靴下類（１）に用いるナノ・プラチナ粒子を独立した態様で付着させた衣類用繊維としては、例えば、次のような手段によって作製された衣類用繊維を用いることができる。まず、該ナノ・プラチナ粒子は、液相レーザーアブレーションの原理を活用することにより得られる。具体的には、ナノ粒子化の対象となる板状のプラチナ材料を水等の各種溶媒に浸漬させ、該板状のプラチナ材料に対してレーザ光を照射することにより、該溶媒中で該プラチナ板を微細化してナノ粒子化させることができる。このようにして生成されたナノ・プラチナ粒子は、水分子と合わさった膠質状のものではなく、それが独立した態様で存在するものである。そして、該衣類用繊維は、該ナノ・プラチナ粒子を溶け込ませた溶液に綿、アクリル繊維、ポリエステル樹脂、ナイロンといった各種の衣類用繊維を浸漬させた上で乾燥させたり、あるいは化学繊維であれば溶解させた樹脂材料に該ナノ・プラチナ粒子を練り込んでこれを紡糸したりして得ることができる。このようにして衣類用繊維に付着させたナノ・プラチナ粒子には永続性があると考えられているところ、多機能靴下類を洗濯する等しても、該ナノ・プラチナ粒子が剥落するといったことはないと考えられている。
【００３１】
以上が、本願考案の第一実施形態に係る多機能靴下類の構造についての説明である。以下に、本願考案の第一実施形態に係る多機能靴下類の使用態様について添付図面に基づいて説明する。
【００３２】
図２に図示するように、着用者（Ａ）は足挿入口（１ｈ）から多機能靴下類（１）の内部にその足を進入させて、多機能靴下類（１）を着用する。
【００３３】
そうすると、多機能靴下類（１）は、踵部（１ａ）、足甲部（１ｂ）、足裏部（１ｃ）、足首部（１ｄ）、及び爪先部（１ｅ）の全部又はいずれかがナノ・プラチナ粒子を独立した態様で付着させた衣服用繊維によって形成されているところ、着用者（Ａ）が多機能靴下類（１）を着用してその足に当接させることにより、該ナノ・プラチナ粒子が足の皮膚の内部へと浸透するのである。
【００３４】
ここで、本願考案の考案者が得た知見によれば、被験者の足の弾力性及び水分量について、素足の状態と、ナノ・プラチナ粒子を独立した態様で付着させた衣服用繊維で形成されている靴下類（以下、Ｐｔ含有靴下類ともいう。）を着用した後の状態と、該衣服用繊維で形成されていない靴下類（以下、Ｐｔ非含有靴下類ともいう。）を着用した後の状態とをそれぞれ計測したところ、次のような結果が得られている。即ち、以下の表１に示す通り、素足の状態の数値をそれぞれ１００とすると、皮膚の弾力性については、Ｐｔ非含有靴下類が８８に低下しているのに対して、Ｐｔ含有靴下類は１１５に上昇している。あわせて、皮膚の水分量については、Ｐｔ非含有靴下類が６８に低下しているのに対して、Ｐｔ含有靴下類は１７０に上昇している。
【００３５】
【表１】
0003232102.tif 000003
【００３６】
また、本願考案の考案者が得た知見によれば、被験者の足の抗酸化能について、Ｐｔ含有靴下類を着用した後の状態と、Ｐｔ非含有靴下類を着用した後の状態とをそれぞれ計測したところ、以下の表２に示す通り、Ｐｔ非含有靴下類の数値を１００とすると、Ｐｔ含有靴下類の数値は２７１という結果が得られている。
【００３７】
【表２】
0003232102.tif 000004
【００３８】
更に、本願考案の考案者が得た知見によれば、ナノ・プラチナ粒子を独立した態様で含有させた溶液（以下、ナノ・プラチナ粒子独立含有溶液ともいう。）と、２種類の既存のプラチナ・ナノ・コロイド（以下、プラチナ・ナノ・コロイドＡ及びＢともいう。）とについて、ＤＰＰＨラジカル消去法を用いて、それぞれの抗酸化能を計測したところ、次のような結果が得られている。即ち、以下の表３に示す通り、それぞれの抗酸化能度（ｐｐｍ）は、プラチナ・ナノ・コロイドＡが８３ｐｐｍ、プラチナ・ナノ・コロイドＢが２５５ｐｐｍであるのに対し、ナノ・プラチナ粒子独立含有溶液は５３４ｐｐｍである。これは、プラチナ・ナノ・コロイドよりも、ナノ・プラチナ粒子を独立した態様で存在させた方が、優れた効果を発揮することの一つの証左である。
【００３９】
【表３】
0003232102.tif 000005
【００４０】
上記のような試験結果から、多機能靴下類（１）を着用するだけで、着用者（Ａ）の踵の皮膚について、保湿、酸化の防止、細菌の増殖の抑制といった各種の効果が得られることを期待できる。
【００４１】
以上が、本願考案の第一実施形態に係る多機能靴下類の構造及び使用態様についての説明である。以下に、本願考案の第二実施形態に係る多機能靴下類の構造及び使用態様について添付図面に基づいて説明する。尚、本願発明の第二実施形態に係る多機能靴下類の構造及び使用態様は、下記の事項以外、前記の第一実施形態に係る多機能靴下類の構造及び使用態様と同一である。
【００４２】
本願考案の第二実施形態に係る多機能靴下類は、図３に図示するように、ナノ・プラチナ粒子を付着させた衣類用繊維を用いた多機能靴下類であって、踵部（１ａ）を備えている。図では、多機能靴下類は、足甲部（１ｂ）、足裏部（１ｃ）、及び足首部（１ｄ）等を備えているが、踵部（１ａ）以外にこれらの部位を備えているか否かは任意である。多機能靴下類（１）は、踵部（１ａ）のみがナノ・プラチナ粒子を独立した態様で付着させた衣類用繊維によって形成されている。
【００４３】
また、多機能靴下類（１）は、図３に図示するように、足裏部（１ｃ）及び／又は爪先部（１ｅ）を備えている場合には、足裏部（１ｃ）及び／又は爪先部（１ｅ）において着用者（Ａ）の足が露出する露出部（１ｉ）が設けられている。図では、多機能靴下類（１）は、爪先部（１ｅ）を欠損させることによって露出部（１ｉ）を設けているが、着用者（Ａ）の足が露出するように構成されていれば足りるため、特にそのような態様に限定されるものではない。
【００４４】
図４に図示するように、着用者（Ａ）は足挿入口（１ｈ）から多機能靴下類（１）の内部にその足を進入させ、その踵を踵部（１ａ）に合わせるとともに、その足裏を露出部（１ｉ）から露出させて、多機能靴下類（１）を着用する。
【００４５】
そうすると、多機能靴下類（１）は、踵部（１ａ）がナノ・プラチナ粒子を独立した態様で付着させた衣服用繊維によって形成されているところ、着用者（Ａ）が多機能靴下類（１）を着用してその踵に当接させることにより、該ナノ・プラチナ粒子が踵の皮膚の内部へと浸透するのである。
【００４６】
特に、多機能靴下類（１）は、踵部（１a）のみがナノ・プラチナ粒子を独立した態様で付着させた衣類用繊維によって形成されているため、人の足で最も皮膚に問題が生じ易い踵に特化して、保湿、酸化の防止、細菌の増殖の抑制といった各種の効果を発揮することができる。
【００４７】
また、着用者（Ａ）の足が露出部（１ｉ）から露出しているため、多機能靴下類（１）を着用して移動したり運動したりしても、着用者（Ａ）の足が直に接地することにより、着用者（Ａ）が滑ってしまうおそれを低減することができる。また、着用者（Ａ）の足が露出部（１ｉ）から露出していることにより、着用者（Ａ）の足部における発汗を抑制することができるとともに、通気性を改善させることもできるため、多機能靴下類（１）の内部が蒸れてしまうのを防止することができる。
【００４８】
以上が、本願考案の第二実施形態に係る多機能靴下類の構造及び使用態様についての説明である。以下に、本願考案の第三実施形態に係る多機能靴下類の構造及び使用態様について添付図面に基づいて説明する。尚、本願発明の第三実施形態に係る多機能靴下類の構造及び使用態様は、下記の事項以外、前記の第一実施形態及び第二実施形態に係る多機能靴下類の構造及び使用態様と同一である。
【００４９】
多機能靴下類（１）は、図５に図示するように、これを着用した際に着用者（Ａ）の脹脛に面する脹脛部（１ｆ）を備えており、脹脛部（１ｆ）がナノ・プラチナ粒子を独立した態様で付着させた衣類用繊維によって形成されている。また、多機能靴下類（１）は、図示するように、これを着用した際に着用者の脛に面する脛部（１ｇ）を備えさせてもよい。そうすると、着用者（Ａ）の下半身の温めを行うのに、一層好適である。
【００５０】
図６に図示するように、着用者（Ａ）の皮膚の内部にナノ・プラチナ粒子を浸透させるべく、多機能靴下類（１）を着用しているところ、多機能靴下類（１）にナノ・プラチナ粒子を独立した態様で付着させた衣類用繊維によって形成した脹脛部（１ｆ）を備えさせることによって、脹脛について前記のナノ・プラチナ粒子が足の皮膚の内部へと浸透する各効果を得られる他、あわせて着用者（Ａ）の下半身の温めを行うことができる。そうすると、こむら返りや脹脛のむくみの原因の一つは、下半身の冷えにあると考えられるところ、脹脛部（１ｆ）を備えた多機能靴下類（１）を着用することにより、それらが生じるおそれを低減することができる。尚、脛部（１ｇ）を備えている場合に、脛部（１ｇ）もナノ・プラチナ粒子を独立した態様で付着させた衣類用繊維によって形成すれば、前記のナノ・プラチナ粒子が足の皮膚の内部へと浸透する各効果を得ることができ、一層好適である。
【符号の説明】
【００５１】
１  多機能靴下類
１ａ  踵部
１ｂ  足甲部
１ｃ  足裏部
１ｄ  足首部
１ｅ  爪先部
１ｆ  脹脛部
１ｇ  脛部
１ｈ  足挿入口
１ｉ  露出部
Ａ  着用者
【図１】
0003232102.tif 000006
【図２】
0003232102.tif 000007
【図３】
0003232102.tif 000008
【図４】
0003232102.tif 000009
【図５】
0003232102.tif 000010
【図６】
0003232102.tif 000011